(57)【要約】【課題】少なくとも２つの綴じ穴で一つの綴じ具に複数の書類やファイルをまとめてかつ整理して収納することができるとともに、少ない綴じ穴でも書類又はファイルを良い状態で収納することができる懸架式綴じ具を提供することを目的とする。【解決手段】少なくとも２つの綴じ穴８ａを有する書類又はファイル８を綴じる懸架式綴じ具１０１であって、書類又はファイル８の綴じ穴８ａに挿入する２つの突起部４ａを備えた第１綴じ板状部材１と、各突起部４ａを止める２つの受け部４ｂを備えた第２綴じ板状部材２と、第１綴じ板状部材１、或いは第２綴じ板状部材２のうち少なくともいずれか一方の両端部に設けられた書類又はファイル８の押さえ部５ａ、５ｂと、第１綴じ板状部材１又は第２綴じ板状部材２の少なくとも何れか一方の両端に設けられた引掛部６とを有することを特徴とする。【選択図】図３
2009172804.tif 000002
【特許請求の範囲】
【請求項１】
少なくとも２つの綴じ穴を有する書類又はファイルを綴じる懸架式綴じ具であって、
前記書類又はファイルの綴じ穴に挿入する２つの突起部を備えた第１綴じ板状部材と、
各前記突起部を止める２つの受け部を備えた第２綴じ板状部材と、
前記第１綴じ板状部材、或いは前記第２綴じ板状部材のうち少なくともいずれか一方の両端部に設けられた前記書類又はファイルの押さえ部と、
前記第１綴じ板状部材又は前記第２綴じ板状部材の少なくとも何れか一方の両端に設けられた引掛部と
を有することを特徴とする懸架式綴じ具。
【請求項２】
前記押さえ部は、凸状の非弾性部材或いは弾性部材で構成されていることを特徴とする請求項１記載の懸架式綴じ具。
【請求項３】
前記第１綴じ板状部材及び前記第２綴じ板状部材は、前記書類又はファイルを綴じたときに前記第１綴じ板状部材と前記第２綴じ板状部材の両端部が広がらないように、一方の板状部材を他方の板状部材に止める止め部を有することを特徴とする請求項１又は２の何れか１項に記載の懸架式綴じ具。
【請求項４】
前記受け部は前記突起部を挿入可能な筒状を有し、前記突起部は該突起部の側面を周回し、高さ方向に複数段構成となっている凸部を有し、該凸部に対応させて前記突起部の前記受け部への挿入深さを調節することにより、前記押さえ部の高さを複数段で調節できるようになっていることを特徴とする請求項１乃至３の何れか１項に記載の懸架式綴じ具。
【請求項５】
前記第１綴じ板状部材と前記第２綴じ板状部材とを連結するヒンジ部材を有することを特徴とする請求項１乃至４の何れか１項に記載の懸架式綴じ具。
【請求項６】
前記第１綴じ板状部材、前記第２綴じ板状部材及び前記ヒンジ部材は一体成形されていることを特徴とする請求項５記載の懸架式綴じ具。
【請求項７】
前記第１綴じ板又は前記第２綴じ板の少なくとも何れか一方は、見出しを取り付ける穴を有することを特徴とする請求項１乃至６の何れか１項に記載の懸架式綴じ具。
【請求項８】
請求項１乃至７の何れか１項に記載の懸架式綴じ具と、
前記引掛部により前記懸架式綴じ具を懸架するスタンドと
を有することを特徴とする懸架式ファイル用具。
【発明の詳細な説明】
【技術分野】
【０００１】
本発明は、書類やファイルを綴じてスタンドなどに懸架する懸架式綴じ具及び懸架式ファイル用具に関する。
【背景技術】
【０００２】
従来、書類やファイルを整理して収納する懸架式ファイル用具として、特許文献１に記載のハンギングホルダや、特許文献２に記載のファイル用背綴じ具が知られている。
【０００３】
特許文献１に記載のハンギングホルダは、懸架部材に吊り下げられた２つ折りのファイルシートの間に書類を入れて、懸架部材両端のスライダ部をレールに懸けて懸架する。特許文献２に記載のファイル用背綴じ具は、断面がＣ字形状の背綴じ具の間にファイルを綴じられるようにしたもので、背綴じ具の内側の４箇所に設けられた連結手段をファイルに設けられた綴じ穴に挿入してファイルを綴じ、Ｃ字形状本体の両端部から左右移動が可能な係止腕を引き出してファイルキャビネット構造物の両側に懸架する。
【特許文献１】特開平８−５８２８０号公報
【特許文献２】特開平８−２０７４８０号公報
【発明の開示】
【発明が解決しようとする課題】
【０００４】
特許文献１に記載のハンギングホルダでは、２つ折りのファイルシートの間に複数の書類をまとめて収納しにくく、また整理しにくいという不都合があり、特許文献２に記載のファイル用背綴じ具では、綴じ穴が多いため、背綴じ具にファイルを綴じるときに面倒であり、また２つの綴じ穴を有するファイルに対応できないという不都合がある。
【０００５】
一方で、綴じ穴が少なくなると、綴じたファイルが動き易くなり、綴じ穴が破れたり、ファイルの両端がばらばらになって折れ曲がったりして、書類又はファイルの収納状態が悪化する恐れがある。
【０００６】
本発明は、上記の従来例の問題点に鑑みて創作されたものであり、少なくとも２つの綴じ穴で一つの綴じ具に複数の書類やファイルをまとめてかつ整理して収納することができるとともに、少ない綴じ穴でも書類又はファイルを良い状態で収納することができる懸架式綴じ具及び懸架式ファイル用具を提供するものである。
【課題を解決するための手段】
【０００７】
本発明の一観点によれば、少なくとも２つの綴じ穴を有する書類又はファイルを綴じる懸架式綴じ具であって、前記書類又はファイルの綴じ穴に挿入する２つの突起部を備えた第１綴じ板状部材と、各前記突起部を止める２つの受け部を備えた第２綴じ板状部材と、前記第１綴じ板状部材、或いは前記第２綴じ板状部材のうち少なくともいずれか一方の両端部に設けられた前記書類又はファイルの押さえ部と、前記第１綴じ板状部材又は前記第２綴じ板状部材の少なくとも何れか一方の両端に設けられた引掛部とを有することを特徴とする懸架式綴じ具が提供される。
【０００８】
本発明によれば、第１綴じ板状部材の２つの突起部を、書類又はファイルの綴じ穴を介して第２綴じ板状部材の２つの受け部に止める構造を有するため、少なくとも２つの綴じ穴で一つの綴じ具に複数の書類やファイルをまとめてかつ整理して収納することができる。しかも、第１綴じ板状部材又は第２綴じ板状部材のうち少なくとも何れか一方の両端部に書類又はファイルの押さえ部が設けられているため、少ない綴じ穴でも、綴じた書類又はファイルが動かないように押さえることができる。これにより、綴じ穴が破れたり、書類又はファイルの端がばらばらになって折れ曲がったりするのを防止し、書類又はファイルを良い状態で収納することが可能である。
【０００９】
押さえ部は、凸状の非弾性部材或いは弾性部材で構成するとよい。
【００１０】
また、好ましくは、第１綴じ板状部材及び第２綴じ板状部材は、書類又はファイルを綴じたときに第１綴じ板状部材と第２綴じ板状部材の両端部が広がらないように、一方の板状部材を他方の板状部材に止める止め部を設けるとよい。これにより、書類又はファイルの押さえ部がより一層有効に働くようになる。
【００１１】
また、好ましくは、前記受け部は前記突起部を挿入可能な筒状を有し、前記突起部は該突起部の側面を周回し、高さ方向に複数段構成となっている凸部を有し、該凸部に対応させて前記突起部の前記受け部への挿入深さを調節することにより、前記押さえ部の高さを複数段で調節できるようになっているとよい。これにより、書類などの厚さに応じて押さえ部の高さを調節し、書類などをしっかりと押さえることができる。
【００１２】
また、好ましくは、前記第１綴じ板状部材と前記第２綴じ板状部材とを連結するヒンジ部材を設けるとよい。これにより、第１綴じ板状部材と第２綴じ板状部材とがばらばらにならず、管理し易くなる。
【００１３】
また、好ましくは、前記第１綴じ板状部材、前記第２綴じ板状部材及び前記ヒンジ部材を一体成形するとよい。これにより、型などを用いて全体を一度に作製することができる。
【００１４】
また、好ましくは、前記第１綴じ板状部材又は前記第２綴じ板状部材の少なくとも何れか一方に、見出しを取り付ける穴を設けるとよい。これにより、個々の懸架式綴じ具に見出しをつけることが可能となり、多数の懸架式綴じ具をスタンドなどに懸架したときに、検索が容易になる。
【００１５】
また、好ましくは、上述の懸架式綴じ具と、前記引掛部により前記懸架式綴じ具を懸架するスタンドを備えるとよい。これにより、懸架用のレールなどを備えていない引き出しなどへも収納することができる懸架式ファイル用具が提供される。
【発明の効果】
【００１６】
本発明の懸架式綴じ具によれば、少なくとも２つの綴じ穴で一つの綴じ具に複数の書類やファイルをまとめてかつ整理して収納することができるとともに、書類又はファイルが動いて綴じ穴が破れたり、端がばらばらになって折れ曲がったりするのを防止し、書類又はファイルを良い状態で収納することが可能である。
【００１７】
また、本発明の懸架式ファイル用具によれば、懸架用のレールなどを備えていない引き出しなどへも収納することができる懸架式ファイル用具を提供することができる。
【発明を実施するための最良の形態】
【００１８】
以下に、本発明の実施の形態について図面を参照しながら説明する。
【００１９】
（１）懸架式ファイル用具の発明
図１は、本発明の実施の形態に係る懸架式ファイル用具について示す斜視図であり、懸架式綴じ具１０１がスタンド２０１に懸架された状態を示す。
【００２０】
（懸架式ファイル用具の全体の構成）
本発明の実施形態の懸架式ファイル用具は、図１に示すように、懸架式綴じ具１０１と、懸架式綴じ具１０１を懸架するための専用のスタンド２０１とで構成される。
【００２１】
（懸架式綴じ具）
懸架式綴じ具１０１は、第１綴じ板状部材１、第２綴じ板状部材２、及び連結板状部材（ヒンジ部材）３が一体成形され、両端に引掛部６が設けられている。懸架式綴じ具１０１は、第１綴じ板状部材１と第２綴じ板状部材２の間に書類或いはファイル８を綴じて、引掛部６によりスタンド２０１に懸架することができる。懸架式綴じ具１０１の詳細は後述する。
【００２２】
（スタンド）
スタンド２０１は、折り畳むことができるようになっている。即ち、スタンド２０１は、２つの屈曲した四角い枠で構成されている。各枠は、図１に示すように、中央部が屈曲した２つの側部部材１１ａ、１１ｂと、これら２つの側部部材１１ａ、１１ｂを両端部で橋渡しして固定する２つの連結部材１２ａ、１２ｂとで構成されている。側部部材１１ａ、１１ｂは屈曲部を除き、強度を高めるように細長い四角い骨格構造に縦方向と斜め方向に筋交いが形成された構造を有し、連結部材１２ａ、１２ｂは細長い帯状の板に図示しない補強材が裏打ちされた構造を有する。２つの屈曲した枠は、側部部材１１ａ、１１ｂの屈曲部を互いに交差させて配置され、２つの屈曲した枠が開閉動作するようにそれらの交差部分が止められている。
【００２３】
懸架式綴じ具１０１を懸架するときに、図１に示すように、スタンド２０１を開いて置き、各枠の上部の連結部材１２ａ、１２ｂを懸架式綴じ具１０１の引掛部（懸架手段）６が載るレールとして用いる。
【００２４】
（懸架式ファイル用具の上述の構成による作用・効果）
上述の懸架式ファイル用具によれば、懸架式綴じ具１０１と、懸架式綴じ具１０１を懸架するスタンド２０１を備えているので、懸架用のレールなどを備えていない引き出しなどへも懸架式綴じ具１０１をスタンド２０１に懸架した状態で収納することができる。
【００２５】
（２）懸架式綴じ具の発明
次に、本発明の実施の形態に係る懸架式綴じ具について詳細に説明する。その懸架式綴じ具は、上述した懸架式ファイル用具を構成するほかに、他の懸架用レールなどに懸架して用いられる。
【００２６】
（第１実施例）
まず、図２乃至図６を参照して、第１実施例の懸架式綴じ具１０１を説明する。
【００２７】
図２（ａ）は、一体的に作製された懸架式綴じ具１０１を開いたときの内側の構造を示す上面図で、（ｂ）は、同じく外側の構造を示す下面図である。
【００２８】
図３（ａ）、（ｂ）は、図２の懸架式綴じ具１０１により書類或いはファイルを綴じる方法を示す斜視図である。
【００２９】
図４（ａ）〜（ｃ）は、懸架式綴じ具１０１に書類或いはファイル８を綴じた状態を示す図である。（ａ）は、図３（ｂ）の矢印Ｉの方向から見た側面図、（ｂ）は図３（ｂ）のII-II線に沿う断面図、（ｃ）は２つの綴じ板状部材１、２を相互に止めるための構造を示す断面図である。
【００３０】
図５（ａ）、（ｂ）は、押さえ部５ａ、５ｂの間隔を調整するための構造及び方法を示す断面図である。
【００３１】
図６は、懸架式綴じ具１０１に見出し９を取り付けるための構造と方法を示す斜視図である。
【００３２】
（懸架式綴じ具の全体の構成）
第１実施例の懸架式綴じ具１０１は、図２（ａ）、（ｂ）に示すように、第１綴じ板状部材１、第２綴じ板状部材２、及び連結板状部材（ヒンジ部材）３が一体成形されている。これにより、第１綴じ板状部材１と第２綴じ板状部材２がばらばらにならず、管理し易くなる。
【００３３】
第１綴じ板状部材１と連結板状部材３の間、第２綴じ板状部材２と連結板状部材３の間には切れ込み２ａが入り、図３（ａ）、（ｂ）に示すように、書類など８を綴じるときにそれらの切れ込み２ａから第１綴じ板状部材１と第２綴じ板状部材２とを折り畳めるようになっている。
【００３４】
さらに、第１綴じ板状部材１及び第２綴じ板状部材２の両端に同一形状の引掛部（懸架手段）６ａ、６ｂが設けられ、かつ、書類など８を綴じるために第１及び第２綴じ板状部材１、２を折り畳んだときに、引掛部６ａ、６ｂが同じ形で並ぶように配置されている。２つ並んだ引掛部６ａ、６ｂが一つの懸架手段６を構成する。
【００３５】
（綴じ板状部材１、２同士を止めるための構造）
第１綴じ板状部材１には、図２（ａ）に示すように、内側の板面の中央領域の２箇所に書類などの綴じ穴に挿入して書類などを保持する突起部４ａが形成され、両端部にそれぞれ突起状の止め部４ｃが形成されている。また、第２綴じ板状部材２には、突起部４ａを挿入する円筒状の受け部４ｂと、突起状の止め部４ｃを挿入する円筒状の止め部４ｄが形成されている。止め部４ｃ、４ｄは、第１綴じ板状部材１及び第２綴じ板状部材２の間に綴じられた書類など８の両側の縁よりも外側に配置される。これにより、第１綴じ板状部材１及び第２綴じ板状部材２の端が広がるのを防止することができるとともに、書類又はファイルの押さえ部５ａ、５ｂがより一層有効に働くようになる。
【００３６】
突起部４ａ及び突起状の止め部４ｃには、図４（ｃ）に示すように、突起の側面を周回し、高さ方向に４段構成となっている凸部４ｅが形成され、円筒状の受け部４ｂ及び止め部４ｄには、円筒内部４ｇの上部周囲に一段構成の凸部４ｆが形成されている。この構造では、突起部４ａ及び止め部４ｃを受け部４ｂ及び止め部４ｄに挿入する深さを凸部４ｅの一段ずつで調整することができる。このような構造により、図４（ａ）、（ｂ）に示すように、突起部４ａ及び突起状の止め部４ｃが円筒状の受け部４ｂ及び止め部４ｄに挿入されたときに容易に抜けないようにするとともに、図５（ａ）、（ｂ）に示すように、突起部４ａ及び止め部４ｃを受け部４ｂ及び止め部４ｄに挿入する深さを調整して押さえ部５ａ、５ｂの間隔を調整することができる。この構造は、押さえ部５ａ、５ｂが非弾性材料である場合に特に有効である。なお、凸部４ｅは突起の高さ方向に４段構成となっているが、任意の段数とすることができる。
【００３７】
（綴じた書類などを押さえるための構造）
第１綴じ板状部材１には、図３（ａ）に示すように、突起状の止め部４ｃの近くにそれぞれ２つ一組で構成される凸状の押さえ部５ａが設けられている。また、第２綴じ板状部材２には、第１綴じ板状部材１の押さえ部５ａと対応する２箇所にそれぞれ２つ一組で構成される凸状の押さえ部５ｂが設けられている。押さえ部５ａ、５ｂは、第１綴じ板状部材１及び第２綴じ板状部材２と同じ非弾性材料で形成されている。
【００３８】
押さえ部５ａ、５ｂは、第１綴じ板状部材１及び第２綴じ板状部材２の間に綴じられた書類など８の両側の縁よりも内側に配置される。図４（ａ）に示すように、第１綴じ板状部材１と第２綴じ板状部材２を折り畳んで書類など８を綴じたときに、これらの押さえ部５ａ、５ｂにより、綴じられた書類など８を押さえることができる。この場合、図５（ａ）、（ｂ）に示すように、書類など８の厚さが薄くても厚くても、書類など８の厚さに応じて突起部４ａ及び止め部４ｃを受け部４ｂ及び止め部４ｄに挿入する深さを適宜調整することで押さえ部５ａ、５ｂの間隔を調整し、書類など８を強固に押さえることができる。これにより、書類など８が動かないようにすることができる。
【００３９】
（見出しを取り付けるための構造）
第１綴じ板状部材１には、図６に示すように、見出し９を取り付けるスリット７が見出し９の大きさに合わせて複数、等間隔で形成されている。スリット７は２つを一組として用いられ、見出し９の両端を挿入して見出し９を固定する。図６では、１つのスリットを挟んで隣り合う２つのスリットを１組としているが、スリットの間隔を広く取って直接隣り合う２つのスリットを１組としてもよい。
【００４０】
これにより、多数の懸架式綴じ具１０１をスタンド２０１などに懸架したときに、検索が容易になる。
【００４１】
（懸架式綴じ具の作製方法）
上述の懸架式綴じ具１０１は、例えば、ポリプロピレンを軟化させ、型を用いて成形することにより一体的に作製される。これにより、懸架式綴じ具１０１全体を一度に作製することができる。
【００４２】
（懸架式綴じ具の上述の構成による作用・効果）
以上のように、第１実施例の懸架式綴じ具１０１によれば、２つの綴じ穴８ａに挿入して書類など８を綴じる２組の突起部４ａ及びその受け部４ｂを有する。これにより、少なくとも２つの綴じ穴８ａで一つの綴じ具１０１に複数の書類など８をまとめてかつ整理して収納することができる。しかも、第１綴じ板状部材１と第２綴じ板状部材２の対向する板面にそれぞれ押さえ部５ａ、５ｂを設けているため、第１綴じ板状部材１と第２綴じ板状部材２により書類など８を綴じたときに、押さえ部５ａ、５ｂにより、綴じた書類など８の両端が動かないように押さえることができる。これにより、書類など８を綴じたときに少ない綴じ穴８ａでも書類など８が動いて綴じ穴が破れたり、端がばらばらになることで折れ曲がったり皺になったりするのを防止し、書類など８を良い状態で収納することができる。
【００４３】
（第２実施例）
次に、図７を参照しながら、本発明の第２実施例の懸架式綴じ具１０２について説明する。図７は斜視図である。
【００４４】
第２実施例において、第１実施例と異なるところは、図７に示すように、押さえ部１３ａ、１３ｂが、弾力性のある円柱状のゴム部材やスポンジ部材（凸状の弾性部材）で形成されている点である。これらは板状部材１、２に接着剤で貼り付けて固定される。この弾力性のある押さえ部１３ａ、１３ｂを厚く作製しておくことにより、綴じられた書類などが少数でも多数でも、押さえ部１３ａ、１３ｂの厚さが書類などの厚さに適合するように変化して書類などがしっかりと押さえられる。
【００４５】
この構成によれば、第１実施例と同じように、第１綴じ板状部材１と第２綴じ板状部材２により書類などを綴じたときに、押さえ部１３ａ、１３ｂにより、綴じた書類などの両端が動かないように押さえることができるので、書類などを綴じたときに少ない綴じ穴でも書類などが動くのを防止し、書類などを良い状態で収納することができる。
【００４６】
なお、弾力性のある部材（弾性部材）として、コイルばねや、板状部材と同じ材料からなる、或いは別の材料からなる細長い凸状部材の集合体を用いてもよい。これらは板状部材１、２に接着剤で貼り付けたり、板状部材１、２と一体的に形成することができる。細長い凸状部材の集合体は、押さえた書類が厚い場合先端が大きく折れ曲がり、押さえた書類が薄い場合先端が小さく折れ曲がって書類などの厚さに適合するように変化し、書類などの両端を強固に押さえることができる。
【００４７】
（第３実施例）
次に、図８を参照しながら、本発明の第３実施例の懸架式綴じ具１０３について説明する。図８は斜視図である。
【００４８】
第３実施例において、第１実施例と異なるところは、図８に示すように、第１綴じ板状部材１と第２綴じ板状部材２とヒンジ部材１７とがそれぞれ別々に作製されている点である。ヒンジ部材１７はプラスチック材料などからなる４つの連結帯状部材で構成される。４つの連結帯状部材１７は、第１綴じ板状部材１と第２綴じ板状部材２の内面であって、突起部４ａ／受け部４ｂ、突起状の止め部４ｃ／円筒状の止め部４ｄの形成箇所に対して奥側に適当な間隔をおいて配置される。４つの連結帯状部材１７が第１綴じ板状部材１と第２綴じ板状部材２に接着剤等で固定されることにより、第１綴じ板状部材１と第２綴じ板状部材２とが連結される。
【００４９】
なお、この実施例では、ヒンジ部材１７は４つの連結帯状部材で構成されているが、２つ以上適当な個数の連結帯状部材で構成することができる。
【００５０】
以上の構成によれば、第１実施例と異なり、第１綴じ板状部材１と第２綴じ板状部材２とヒンジ部材１７とが一体的に作製されていないが、ヒンジ部材１７により第１綴じ板状部材１と第２綴じ板状部材２とを連結しているので、第１綴じ板状部材１と第２綴じ板状部材２がばらばらにならず、管理し易くなる。
【００５１】
（その他の実施の形態）
以上、実施の形態によりこの発明を詳細に説明したが、この発明の範囲は上記実施の形態に具体的に示した例に限られるものではなく、この発明の要旨を逸脱しない範囲の上記実施形態の変更はこの発明の範囲に含まれる。
【００５２】
例えば、上述の懸架式ファイル用具では、懸架式綴じ具１０１が用いられているが、この実施形態で説明した他の懸架式綴じ具１０２、１０３を用いてもよい。
【００５３】
上述の懸架式綴じ具１０１、１０２、１０３に綴じられる書類など８は、書類自体でもよいし、名刺を入れることができるポケットを有し、或いは書類を入れることができる袋状に形成された透明なポリエチレンやビニールなどでもよい。
【００５４】
また、書類など８に設けられる綴じ穴の数は、２つ以上であればよい。綴じ穴が２つより多い場合は、そのうちの２つを懸架式綴じ具１０１、１０２、１０３への綴じ穴８ａとして用いればよい。
【００５５】
また、汎用性を考慮して最低でも２穴の綴じ穴を持つ書類などを綴じることができるようにするため、図３（ａ）に示すように、突起部４ａ及び対応する受け部４ｂを第１綴じ板状部材１及び第２綴じ板状部材２にそれぞれ２箇所設けているが、これに限られない。書類など８の綴じ穴と同じ数の突起部４ａ及び対応する受け部４ｂを設けて専用の懸架式綴じ具としてもよい。
【００５６】
また、図２及び図７に示すように、第１綴じ板状部材１及び第２綴じ板状部材２の両方に押さえ部５ａ／５ｂ、１３ａ／１３ｂを設けているが、少なくとも何れか一方に設けられていればよい。
【００５７】
また、図３（ａ）に示すように、突起部４ａ及び受け部４ｂにより書類など８を綴じたときに、書類など８の両側の縁よりも外側にそれぞれ配置されるように突起状の止め部４ｃを１つずつ設けているが、同じく書類など８の両側の縁よりも外側にそれぞれ配置されるように２つ以上、両側で同じ個数ずつ、或いは両側で異なる個数で設けてもよい。対応する円筒状の止め部４ｄについても同様である。
【００５８】
また、第１綴じ板状部材１及び第２綴じ板状部材２の両方の両端に引掛部６ａ、６ｂを設けて一つの懸架手段６を構成しているが、第１綴じ板状部材１又は第２綴じ板状部材２の何れか一方の両端に設けて懸架手段６を構成するようにしてもよい。
【００５９】
また、第１綴じ板状部材１に、図６に示すように見出し９を取り付けるスリット７を設けているが、第２綴じ板状部材２に、又は、第１綴じ板状部材１及び第２綴じ板状部材２の両方に、見出しを取り付けるスリットを設けてもよい。
【００６０】
また、第１綴じ板状部材１と第２綴じ板状部材２を連結するヒンジ部材３、１７を設けているが、省略することもできる。
【００６１】
また、受け部４ｂは円筒状の筒であるが、他の形状の筒を用いてもよい。
【図面の簡単な説明】
【００６２】
【図１】本発明の実施形態に係る懸架式ファイル用具の構成について示す斜視図である。
【図２】（ａ）は、本発明の実施形態に係る懸架式綴じ具の第１実施例について示す上面図であり、（ｂ）は同じく下面図である。
【図３】（ａ）、（ｂ）は、図２の懸架式綴じ具により書類或いはファイルを綴じる方法を示す斜視図である。
【図４】（ａ）〜（ｃ）は、図２の懸架式綴じ具に書類或いはファイルを綴じた状態を示す図であり、（ａ）は図３（ｂ）の矢印Ｉの方向から見た側面図、（ｂ）は図３（ｂ）のII-II線に沿う断面図、（ｃ）は２つの綴じ板状部材同士を止めるための構造を示す断面図である。
【図５】（ａ）、（ｂ）は、図２の懸架式綴じ具において押さえ部の間隔を調整するための構造及び方法を示す断面図である。
【図６】図２の懸架式綴じ具に見出しを取り付ける方法を示す斜視図である。
【図７】本発明の実施形態に係る懸架式綴じ具の第２実施例について示す斜視図である。
【図８】本発明の実施形態に係る懸架式綴じ具の第３実施例について示す斜視図である。
【符号の説明】
【００６３】
１  第１綴じ板状部材
２  第２綴じ板状部材
２ａ  切れ込み
３  連結板状部材（ヒンジ部材）
４ａ  突起部
４ｂ  受け部
４ｃ  突起状の止め部
４ｄ  円筒状の止め部
４ｅ、４ｆ  凸部
４ｇ  円筒内部
５ａ、５ｂ、１３ａ、１３ｂ  押さえ部
６、６ａ、６ｂ  引掛部（懸架手段）
７  見出しを取り付けるスリット
８  書類或いはファイル
８ａ  綴じ穴
９  見出し
１１ａ、１１ｂ  側部部材
１２ａ、１２ｂ  連結部材
１４  連結帯状部材（ヒンジ部材）
１０１、１０２、１０３  懸架式綴じ具
２０１  スタンド。
【図１】
2009172804.tif 000003
【図２】
2009172804.tif 000004
【図３】
2009172804.tif 000005
【図４】
2009172804.tif 000006
【図５】
2009172804.tif 000007
【図６】
2009172804.tif 000008
【図７】
2009172804.tif 000009
【図８】
2009172804.tif 000010